(57)【要約】【課題】  撮像した画像をプリントする際に、日付情報が二重にプリントされることを防止することができなかった。【解決手段】  プリンタ装置と接続され、撮像した画像を前記プリンタ装置を制御してプリント可能な画像処理装置であって、画像を撮像する撮像手段と、前記撮像手段により撮像された画像に前記撮像が行われた日付の情報を合成するか否かの設定を受け付ける設定受付手段と、前記受け付けた設定内容に基づき、前記日付情報を前記撮像手段により撮像された画像に合成する合成手段と、前記撮像された画像に日付情報が合成されたか否かを識別するための識別情報を前記受け付けた設定に基づき生成して前記撮像された画像のヘッダに付加する識別情報生成手段と、前記識別情報が付加されたヘッダを有する画像を前記プリンタ装置へ送信する送信手段と、を備えることを特徴とする。【選択図】図１ａ
2005223758.tif 000002
【特許請求の範囲】
【請求項１】
プリンタ装置と接続され、撮像した画像を前記プリンタ装置を制御して印刷可能な画像処理装置であって、
画像を撮像する撮像手段と、
前記撮像手段により撮像された画像に前記撮像が行われた日付の情報を合成するか否かの設定を受け付ける設定受付手段と、
前記受け付けた設定内容に基づき、前記日付情報を前記撮像手段により撮像された画像に合成する合成手段と、
前記撮像された画像に日付情報が合成されたか否かを識別するための識別情報を前記受け付けた設定に基づき生成して前記撮像された画像のヘッダに付加する識別情報生成手段と、
前記識別情報が付加されたヘッダを有する画像を前記プリンタ装置へ送信する送信手段と、
を備えることを特徴とする画像処理装置。
【請求項２】
前記識別情報に基づいて前記画像に前記日付情報が合成されたか否かを判定する第１の判定手段と、
前記第１の判定手段において、前記画像に前記日付情報が合成されたと判定された場合に、前記プリンタ装置における前記日付情報の前記画像への合成を抑制するように印刷条件を設定する印刷条件設定手段と
を更に備え、前記送信手段は前記画像と共に前記設定された印刷条件を送信することを特徴とする請求項１に記載の画像処理装置。
【請求項３】
前記識別情報に基づいて前記画像に前記日付情報が合成されたか否かを判定する第１の判定手段と、
前記第１の判定手段において、前記画像に前記日付情報が合成されていないと判定された場合に、前記プリンタ装置において前記日付情報を前記画像に合成するか否かについて予め定められた印刷条件を設定する印刷条件設定手段と
を更に備え、前記送信手段は前記画像と共に前記設定された印刷条件を送信することを特徴とする請求項１に記載の画像処理装置。
【請求項４】
前記識別情報には、前記画像中で前記日付情報が合成される位置情報が含まれることを特徴とする請求項１乃至３のいずれかに記載の画像処理装置。
【請求項５】
前記画像の印刷領域の設定を受け付ける印刷領域設定手段と、
前記設定された印刷領域と前記位置情報とに基づいて、前記日付情報が前記設定された印刷領域内に存在するかどうかを判定する第２の判定手段と
を更に備え、
前記第２の判定手段において、前記日付情報が前記設定された印字領域内に存在すると判定された場合に、前記印刷条件設定手段は前記プリンタ装置における前記日付情報の前記画像への合成が抑制されるように印刷条件を設定することを特徴とする請求項４に記載の画像処理装置。
【請求項６】
前記画像の印刷領域の設定を受け付ける印刷領域設定手段と、
前記設定された印刷領域と前記位置情報とに基づいて、前記日付情報が前記設定された印刷領域内に存在するかどうかを判定する第２の判定手段と
を更に備え、
前記第２の判定手段において、前記日付情報が前記設定された印字領域内に存在しないと判定された場合に、前記印刷条件設定手段は前記プリンタ装置における前記日付情報の前記画像への合成するか否かについて予め設定された印刷条件を設定することを特徴とする請求項４に記載の画像処理装置。
【請求項７】
撮像した画像を印刷可能な画像処理装置であって、
画像を撮像する撮像手段と、
前記撮像手段により撮像された画像に前記撮像が行われた日付の情報を合成するか否かの設定を受け付ける設定受付手段と、
前記受け付けた設定内容に基づき、前記日付情報を前記撮像手段により撮像された画像に合成する合成手段と、
前記撮像された画像に日付情報が合成されたか否かを識別するための識別情報を前記受け付けた設定に基づき生成して前記撮像された画像のヘッダに付加する識別情報生成手段と、
前記識別情報が付加されたヘッダを有する画像を印刷する印刷手段と
を備えることを特徴とする画像処理装置。
【請求項８】
前記印刷手段は、
前記識別情報に基づいて前記画像に前記日付情報が合成されたか否かを判定する第１の判定手段を更に備え、
前記第１の判定手段において、前記画像に前記日付情報が合成されたと判定された場合に、前記画像の印刷において前記日付情報の前記画像への合成を抑制することを特徴とする請求項７に記載の画像処理装置。
【請求項９】
前記印刷手段は、
前記識別情報に基づいて前記画像に前記日付情報が合成されたか否かを判定する第１の判定手段を更に備え、
前記第１の判定手段において、前記画像に前記日付情報が合成されていないと判定された場合に、前記日付情報を前記画像に合成するか否かについて予め定められた印刷条件に従って前記画像の印刷を行うことを特徴とする請求項７に記載の画像処理装置。
【請求項１０】
前記識別情報には、前記画像中で前記日付情報が合成される位置情報が含まれることを特徴とする請求項７乃至９のいずれかに記載の画像処理装置。
【請求項１１】
前記画像の印刷領域の設定を受け付ける印刷領域設定手段と、
前記設定された印刷領域と前記位置情報とに基づいて、前記日付情報が前記設定された印刷領域内に存在するかどうかを判定する第２の判定手段と
を更に備え、
前記印刷手段は、前記第２の判定手段において前記日付情報が前記設定された印字領域内に存在すると判定された場合に、前記画像の印刷において前記日付情報の前記画像への合成を抑制することを特徴とする請求項１０に記載の画像処理装置。
【請求項１２】
前記画像の印刷領域の設定を受け付ける印刷領域設定手段と、
前記設定された印刷領域と前記位置情報とに基づいて、前記日付情報が前記設定された印刷領域内に存在するかどうかを判定する第２の判定手段と
を更に備え、
前記印刷手段は、前記第２の判定手段において前記日付情報が前記設定された印字領域内に存在しないと判定された場合に、前記日付情報の前記画像への合成するか否かについて予め設定された印刷条件に従って前記画像の印刷を行うことを特徴とする請求項１０に記載の画像処理装置。
【請求項１３】
画像を印刷可能なプリンタ装置であって、
前記画像に、前記画像の撮像が行われた日付の情報が合成されているかを判定する判定手段と、
前記判定手段において前記画像に前記日付情報が合成されたと判定された場合に、前記プリンタ装置における前記日付情報の前記画像への合成を抑制するように印刷条件を設定する印刷条件設定手段と
前記設定された印刷条件に基づいて印刷を行う印刷手段と
を備えることを特徴とするプリンタ装置。
【請求項１４】
前記画像のヘッダには、前記撮像された画像に日付情報が合成されたか否かを識別するための識別情報が付加され、
前記判定手段は、前記識別情報に基づいて前記判定を行うことを特徴とする請求項１３に記載のプリンタ装置。
【請求項１５】
プリンタ装置と接続され、撮像した画像を前記プリンタ装置を制御して印刷可能な画像処理装置の制御方法であって、
画像を撮像する撮像工程と、
前記撮像工程において撮像された画像に前記撮像が行われた日付の情報を合成するか否かの設定を受け付ける設定受付工程と、
前記受け付けた設定内容に基づき、前記日付情報を前記撮像手段により撮像された画像に合成する合成工程と、
前記撮像された画像に日付情報が合成されたか否かを識別するための識別情報を前記受け付けた設定に基づき生成して前記撮像された画像のヘッダに付加する識別情報生成工程と、
前記識別情報が付加されたヘッダを有する画像を前記プリンタ装置へ送信する送信工程と、
を備えることを特徴とする画像処理装置の制御方法。
【請求項１６】
前記識別情報に基づいて前記画像に前記日付情報が合成されたか否かを判定する第１の判定工程と、
前記第１の判定工程において、前記画像に前記日付情報が合成されたと判定された場合に、前記プリンタ装置における前記日付情報の前記画像への合成を抑制するように印刷条件を設定する印刷条件設定工程と
を更に備え、前記送信工程では前記画像と共に前記設定された印刷条件が送信されることを特徴とする請求項１５に記載の画像処理装置の制御方法。
【請求項１７】
前記識別情報に基づいて前記画像に前記日付情報が合成されたか否かを判定する第１の判定工程と、
前記第１の判定工程において、前記画像に前記日付情報が合成されていないと判定された場合に、前記プリンタ装置において前記日付情報を前記画像に合成するか否かについて予め定められた印刷条件を設定する印刷条件設定工程と
を更に備え、前記送信工程では前記画像と共に前記設定された印刷条件が送信されることを特徴とする請求項１５に記載の画像処理装置の制御方法。
【請求項１８】
前記識別情報には、前記画像中で前記日付情報が合成される位置情報が含まれることを特徴とする請求項１５乃至１７のいずれかに記載の画像処理装置の制御方法。
【請求項１９】
前記画像の印刷領域の設定を受け付ける印刷領域設定工程と、
前記設定された印刷領域と前記位置情報とに基づいて、前記日付情報が前記設定された印刷領域内に存在するかどうかを判定する第２の判定工程と
を更に備え、
前記第２の判定工程において、前記日付情報が前記設定された印字領域内に存在すると判定された場合に、前記印刷条件設定工程では前記プリンタ装置における前記日付情報の前記画像への合成が抑制されるように印刷条件を設定することを特徴とする請求項１８に記載の画像処理装置の制御方法。
【請求項２０】
前記画像の印刷領域の設定を受け付ける印刷領域設定工程と、
前記設定された印刷領域と前記位置情報とに基づいて、前記日付情報が前記設定された印刷領域内に存在するかどうかを判定する第２の判定工程と
を更に備え、
前記第２の判定工程において、前記日付情報が前記設定された印字領域内に存在しないと判定された場合に、前記印刷条件設定工程では前記プリンタ装置における前記日付情報の前記画像への合成するか否かについて予め設定された印刷条件が設定されることを特徴とする請求項１８に記載の画像処理装置の制御方法。
【請求項２１】
撮像した画像を印刷可能な画像処理装置の制御方法であって、
画像を撮像する撮像工程と、
前記撮像工程において撮像された画像に前記撮像が行われた日付の情報を合成するか否かの設定を受け付ける設定受付工程と、
前記受け付けた設定内容に基づき、前記日付情報を前記撮像工程において撮像された画像に合成する合成工程と、
前記撮像された画像に日付情報が合成されたか否かを識別するための識別情報を前記受け付けた設定に基づき生成して前記撮像された画像のヘッダに付加する識別情報生成工程と、
前記識別情報が付加されたヘッダを有する画像を印刷する印刷工程と
を備えることを特徴とする画像処理装置の制御方法。
【請求項２２】
前記印刷工程は、
前記識別情報に基づいて前記画像に前記日付情報が合成されたか否かを判定する第１の判定工程を更に備え、
前記第１の判定工程において、前記画像に前記日付情報が合成されたと判定された場合に、前記画像の印刷において前記日付情報の前記画像への合成を抑制することを特徴とする請求項２１に記載の画像処理装置の制御方法。
【請求項２３】
前記印刷工程は、
前記識別情報に基づいて前記画像に前記日付情報が合成されたか否かを判定する第１の判定工程を更に備え、
前記第１の判定工程において、前記画像に前記日付情報が合成されていないと判定された場合に、前記日付情報を前記画像に合成するか否かについて予め定められた印刷条件に従って前記画像の印刷を行うことを特徴とする請求項２１に記載の画像処理装置の制御方法。
【請求項２４】
前記識別情報には、前記画像中で前記日付情報が合成される位置情報が含まれることを特徴とする請求項２１乃至２３のいずれかに記載の画像処理装置の制御方法。
【請求項２５】
前記画像の印刷領域の設定を受け付ける印刷領域設定工程と、
前記設定された印刷領域と前記位置情報とに基づいて、前記日付情報が前記設定された印刷領域内に存在するかどうかを判定する第２の判定工程と
を更に備え、
前記印刷工程では、前記第２の判定工程において前記日付情報が前記設定された印字領域内に存在すると判定された場合に、前記画像の印刷において前記日付情報の前記画像への合成が抑制されることを特徴とする請求項２４に記載の画像処理装置の制御方法。
【請求項２６】
前記画像の印刷領域の設定を受け付ける印刷領域設定工程と、
前記設定された印刷領域と前記位置情報とに基づいて、前記日付情報が前記設定された印刷領域内に存在するかどうかを判定する第２の判定工程と
を更に備え、
前記印刷工程では、前記第２の判定工程において前記日付情報が前記設定された印字領域内に存在しないと判定された場合に、前記日付情報の前記画像への合成するか否かについて予め設定された印刷条件に従って前記画像の印刷が行われることを特徴とする請求項２４に記載の画像処理装置の制御方法。
【請求項２７】
画像を印刷可能なプリンタ装置の制御方法であって、
前記画像に、前記画像の撮像が行われた日付の情報が合成されているかを判定する判定工程と、
前記判定工程において前記画像に前記日付情報が合成されたと判定された場合に、前記プリンタ装置における前記日付情報の前記画像への合成を抑制するように印刷条件を設定する印刷条件設定工程と、
前記設定された印刷条件に基づいて印刷を行う印刷工程と
を備えることを特徴とするプリンタ装置の制御方法。
【請求項２８】
前記画像のヘッダには、前記撮像された画像に日付情報が合成されたか否かを識別するための識別情報が付加され、
前記判定工程では、前記識別情報に基づいて判定が行われることを特徴とする請求項２７に記載のプリンタ装置の制御方法。
【請求項２９】
請求項１３乃至請求項２８のいずれかに記載の方法をコンピュータに実行させるためのコンピュータプログラム。
【請求項３０】
請求項２９に記載のコンピュータプログラムを記録したコンピュータで読取可能な記録媒体。
【発明の詳細な説明】
【技術分野】
【０００１】
本発明は、画像をプリントする際に、画像に写し込まれた日付とプリンタ装置で付加する日付を二重にプリントしてしまうことを防止する画像処理装置に関するものである。
【背景技術】
【０００２】
従来から、デジタルカメラやデジタルビデオカメラなどの撮影機器をプリンタ装置と通信ケーブルや無線で接続したりまたは一体的に構成したりすることで、撮影機器で撮影された画像情報を、コンピュータなどの画像情報を処理する情報処理機器を介することなくプリントすることが可能である。
【０００３】
プリンタ装置を接続して撮影された画像情報をプリント可能なこのような撮影機器では、撮影機器からプリントする画像の選択およびペーパー設定・日付プリント設定・枚数設定といったプリント設定を行うことが可能である。また、撮影機器側において日付プリント設定をＯＮにすることで撮影日時をプリンタ装置で付加することが可能である。
【０００４】
また、撮影機器本体で撮影日時を直接画像情報として画像に写し込んで記録媒体に記録することも実施されている（特許文献１を参照。）。
【特許文献１】特開平１１−８８７４２号公報
【発明の開示】
【発明が解決しようとする課題】
【０００５】
しかしながら、そのようなデジタルカメラで撮影した日付写し込みのなされた画像を上記従来例のようにプリンタ装置と接続しプリントする場合、画像にはじめから画像情報として撮影日時が写し込まれているため、日付プリント設定によりプリンタ装置で撮影日時のプリント行うと、デジタルカメラ本体で画像に写し込んだ日付とプリンタ装置で付加する日付が二重にプリントされてしまう。
【０００６】
即ち、本発明は、撮像した画像をプリントする際に、日付情報が二重にプリントされることを防止することを目的とする。
【課題を解決するための手段】
【０００７】
上記課題を解決する本発明は、プリンタ装置と接続され、撮像した画像を前記プリンタ装置を制御してプリント可能な画像処理装置であって、画像を撮像する撮像手段と、前記撮像手段により撮像された画像に前記撮像が行われた日付の情報を合成するか否かの設定を受け付ける設定受付手段と、前記受け付けた設定内容に基づき、前記日付情報を前記撮像手段により撮像された画像に合成する合成手段と、前記撮像された画像に日付情報が合成されたか否かを識別するための識別情報を前記受け付けた設定に基づき生成して前記撮像された画像のヘッダに付加する識別情報生成手段と、前記識別情報が付加されたヘッダを有する画像を前記プリンタ装置へ送信する送信手段と、を備えることを特徴とする。
【０００８】
上記課題を更に解決するための本発明は、撮像した画像をプリント可能な画像処理装置であって、画像を撮像する撮像手段と、前記撮像手段により撮像された画像に前記撮像が行われた日付の情報を合成するか否かの設定を受け付ける設定受付手段と、前記受け付けた設定内容に基づき、前記日付情報を前記撮像手段により撮像された画像に合成する合成手段と、前記撮像された画像に日付情報が合成されたか否かを識別するための識別情報を前記受け付けた設定に基づき生成して前記撮像された画像のヘッダに付加する識別情報生成手段と、前記識別情報が付加されたヘッダを有する画像をプリントするプリント手段とを備えることを特徴とする。
【０００９】
上記課題を更に解決するための本発明は、画像を印刷可能なプリンタ装置であって、前記画像に、前記画像の撮像が行われた日付の情報が合成されているかを判定する判定手段と、前記判定手段において前記画像に前記日付情報が合成されたと判定された場合に、前記プリンタ装置における前記日付情報の前記画像への合成を抑制するように印刷条件を設定する印刷条件設定手段と、前記設定された印刷条件に基づいて印刷を行う印刷手段とを備えることを特徴とする。
【発明の効果】
【００１０】
本発明によれば、撮像した画像をプリントする際に、日付情報が二重にプリントされてしまうことを防止することができる。
【発明を実施するための最良の形態】
【００１１】
以下、本発明の実施形態を添付図面を参照しながら詳細に説明する。
【００１２】
図１ａは、本発明の一実施形態の構成を示したブロック図である。図１ａにおいて、１００は画像処理装置である。１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。
【００１３】
１８は撮像素子１４、 Ａ／Ｄ変換器１６、 Ｄ／Ａ変換器２６にクロック信号や制御信号を供給するタイミング発生回路であり、メモリ制御回路２２及びシステム制御回路５０により制御される。
【００１４】
２０は画像処理回路であり、Ａ／Ｄ変換器１６からのデータ或いはメモリ制御回路２２からのデータに対して所定の画素補間処理や色変換処理を行う。さらに画像処理回路２０は、日付画像の合成処理を行うことにより画像に日付を写し込むことも可能である。
【００１５】
また、画像処理回路２０においては、撮像した画像データを用いて所定の演算処理を行い、得られた演算結果に基づいてシステム制御回路５０が露光制御手段４０、測距制御手段４２に対して制御を行う、ＴＴＬ（スルー・ザ・レンズ）方式のＡＦ（オートフォーカス）処理、ＡＥ（自動露出）処理、ＡＷＢ（オートホワイトバランス）処理、ＥＦ（フラッシュプリ発光）処理を行っている。
【００１６】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００１７】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００１８】
２４は画像表示メモリ、２６はＤ／Ａ変換器、２８はＴＦＴ  ＬＣＤ等から成る画像表示部であり、画像表示メモリ２４に書き込まれた表示用の画像データはＤ／Ａ変換器２６を介して画像表示部２８により表示される。また、画像表示部２８を用いて撮像した画像データを逐次表示すれば、電子ファインダー機能を実現することが可能である。
【００１９】
画像表示部２８は、システム制御回路５０の指示により任意に表示をＯＮ／ＯＦＦすることが可能であり、表示をＯＦＦにした場合には画像処理装置１００の電力消費を大幅に低減することが出来る。
【００２０】
３０は撮影した静止画像や動画像を格納するためのメモリであり、所定枚数の静止画像や所定時間の動画像を格納するのに十分な記憶量を備えている。これにより、複数枚の静止画像を連続して撮影する連射撮影やパノラマ撮影の場合にも、高速かつ大量の画像書き込みをメモリ３０に対して行うことが可能となる。また、メモリ３０はシステム制御回路５０の作業領域としても使用することが可能である。
【００２１】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００２２】
４０は絞り機能を備えるシャッター１２を制御する露光制御手段であり、フラッシュ４８と連携することによりフラッシュ調光機能も有するものである。４２は撮影レンズ１０のフォーカシングを制御する測距制御手段、４４は撮影レンズ１０のズーミングを制御するズーム制御手段、４６はバリアである保護手段１０２の動作を制御するバリア制御手段である。
【００２３】
４８はフラッシュであり、ＡＦ補助光の投光機能、フラッシュ調光機能も有する。露光制御手段４０、測距制御手段４２はＴＴＬ方式を用いて制御されており、撮像した画像データを画像処理回路２０によって演算した演算結果に基づき、システム制御回路５０が露光制御手段４０、測距制御手段４２に対して制御を行う。
【００２４】
５０は画像処理装置１００全体を制御するシステム制御回路、５２はシステム制御回路５０の動作用の定数、変数、プログラム等を記憶するメモリである。５４はシステム制御回路５０でのプログラムの実行に応じて、文字、画像、音声等を用いて動作状態やメッセージ等を表示する液晶表示装置、スピーカー等の表示部であり、画像処理装置１００の操作部近辺の視認し易い位置に単数或いは複数個所設置され、例えばＬＣＤやＬＥＤ、発音素子等の組み合わせにより構成されている。また、表示部５４は、その一部の機能が光学ファインダー１０４内に設置されている。
【００２５】
表示部５４の表示内容のうち、ＬＣＤ等に表示するものとしては、単写／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信Ｉ／Ｆ動作表示、日付け・時刻表示、等がある。また、表示部５４の表示内容のうち、光学ファインダー１０４内に表示するものとしては、合焦表示、手振れ警告表示、フラッシュ充電表示、シャッタースピード表示、絞り値表示、露出補正表示、等がある。
【００２６】
５６は電気的に消去・記録可能な不揮発性メモリであり、例えばＥＥＰＲＯＭ等が用いられる。６０、６２、６４、６６、６８及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００２７】
ここで、これらの操作手段の具体的な説明を行う。６０はモードダイアルスイッチで、電源オフ、自動撮影モード、撮影モード、パノラマ撮影モード、再生モード、マルチ画面再生・消去モード、ＰＣ接続モード等の各機能モードを切り替え設定することが出来る。
【００２８】
６２はシャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００２９】
６４はシャッタースイッチＳＷ２で、不図示のシャッターボタンの操作完了でＯＮとなり、撮像素子１２から読み出した信号をＡ／Ｄ変換器１６、メモリ制御回路２２を介してメモリ３０に画像データを書き込む露光処理、画像処理回路２０やメモリ制御回路２２での演算を用いた現像処理および日付写し込み処理、メモリ３０から画像データを読み出し、圧縮・伸長回路３２で圧縮を行い、記録媒体２００或いは２１０に画像データを書き込む記録処理という一連の処理の動作開始を指示する。
【００３０】
６６は画像表示ＯＮ／ＯＦＦスイッチで、画像表示部２８のＯＮ／ＯＦＦを設定することが出来る。この機能により、光学ファインダー１０４を用いて撮影を行う際に、ＴＦＴ  ＬＣＤ等から成る画像表示部への電流供給を遮断することにより、省電力を図ることが可能となる。
【００３１】
６８は日付写し込みＯＮ／ＯＦＦスイッチで、撮影時に撮影した画像データに日付を写し込む機能を設定することができる。ここで、スイッチ６８が「ＯＮ」の場合、画像データに日付を写し込む設定となり、「ＯＦＦ」の場合には画像データに日付を写し込まない設定となる。
【００３２】
７０は各種ボタンやタッチパネル等からなる操作部で、メニューボタン、セットボタン、マクロボタン、マルチ画面再生改ページボタン、フラッシュ設定ボタン、単写／連写／セルフタイマー切り替えボタン、メニュー移動＋（プラス）ボタン、メニュー移動−（マイナス）ボタン、再生画像移動＋（プラス）ボタン、再生画像移動−（マイナス）ボタン、撮影画質選択ボタン、露出補正ボタン、日付・時間設定ボタン等がある。
【００３３】
８０は電源制御手段で、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００３４】
８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプター等からなる電源手段である。
【００３５】
９０及び９４はメモリカードやハードディスク等の記録媒体とのインタフェース、９２及び９６はメモリカードやハードディスク等の記録媒体と接続を行うコネクタである。
【００３６】
なお、本実施形態では記録媒体を取り付けるインターフェース及びコネクタを２系統持つものとして説明している。もちろん、記録媒体を取り付けるインターフェース及びコネクタは、単数或いは複数、いずれの系統数を備える構成としても構わない。また、異なる規格のインターフェース及びコネクタを組み合わせて備える構成としても構わない。インターフェース及びコネクタとしては、ＰＣＭＣＩＡカードやＣＦ（コンパクトフラッシュ（登録商標））カード等の規格に準拠したものを用いて構成して構わない。
【００３７】
さらに、インタフェース９０及び９４、そしてコネクタ９２及び９６をＰＣＭＣＩＡカードやＣＦ（コンパクトフラッシュ（登録商標））カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことが出来る。
【００３８】
９８は時計で、内部電源（不図示）により動き続け、撮影時に画像のヘッダに記録される撮影日時取得等に利用される。１０２は、画像処理装置１００のレンズ１０を含む撮像部を覆う事により、撮像部の汚れや破損を防止するバリアである保護手段である。
【００３９】
１０４は光学ファインダであり、画像表示部２８による電子ファインダー機能を使用すること無しに、光学ファインダのみを用いて撮影を行うことが可能である。また、光学ファインダー１０４内には、表示部５４の一部の機能、例えば、合焦表示、手振れ警告表示、フラッシュ充電表示、シャッタースピード表示、絞り値表示、露出補正表示などが設置されている。
【００４０】
１１０は通信手段で、ＲＳ２３２ＣやＵＳＢ、ＩＥＥＥ１３９４、Ｐ１２８４、ＳＣＳＩ、モデム、ＬＡＮ、無線通信、等の各種通信機能を有し、画像処理装置１００とプリンタ装置６００を専用のケーブルで接続し通信手段１１０により通信を行うことで、操作部７０を操作し画像をプリントすることも可能である。
【００４１】
１１２は通信手段１１０により画像処理装置１００をプリンタ装置６００等の他の機器と接続するコネクタ或いは無線通信の場合はアンテナである。１２０はプリントデータ生成手段で、画像処理装置１００とプリンタ装置６００を接続し画像のプリントを行う際に、プリンタ装置６００に送信するプリントデータを生成する。生成されたプリントデータは通信手段１１０によりプリンタ装置６００に送信されプリントが行われる。
【００４２】
２００はメモリカードやハードディスク等の記録媒体である。記録媒体２００は、半導体メモリや磁気ディスク等から構成される記録部２０２、画像処理装置１００とのインタフェース２０４、画像処理装置１００と接続を行うコネクタ２０６を備えている。
【００４３】
２１０はメモリカードやハードディスク等の記録媒体である。記録媒体２１０は、半導体メモリや磁気ディスク等から構成される記録部２１２、画像処理装置１００とのインタフェース２１４、画像処理装置１００と接続を行うコネクタ２１６を備えている。
【００４４】
本実施形態に対応したプリント装置６００は、図１ｂ示すように、ＣＰＵ６０１とＲＯＭ６０２とＲＡＭ６０３と、キー入力装置６０４と表示装置６０５と、情報取得装置６０７と印刷装置６０８と、外部接続装置６０９と、から構成される。
【００４５】
上記構成において、ＣＰＵ６０１では、ＲＯＭ６０２に記述された各種プログラムが実行され、必要に応じてＲＡＭ６０３にデータを書込み、参照する処理が行われる。
【００４６】
ＲＯＭ６０２は書込み可能な不揮発性のメモリで、上記の各装置を制御するためのプログラム、データ処理を行うためのプログラムやデータが記述されている。ＲＡＭ６０３は、ＲＯＭ６０２に記述されたプログラムの実行に伴い、必要なデータが書込まれたり、参照されたりする。キー入力装置６０４では、プリント装置６００において各種機能の実行を促すための実行指示入力が行われ、この指示入力にもとづき処理が実行される。
【００４７】
表示装置６０５では、ＲＡＭ３の表示メモリに格納された表示データの表示処理を行う。実行機能の確認処理で、確認対象となる機能の機能名の表示や、印刷プレビュー表示処理で印刷プレビューの表示の他、必要な情報が表示される。情報取得装置６０６では、情報取得メディア（例えば、コンパクトフラッシュ（登録商標）やスマートメディアを始めとする記憶メディア）に格納される情報を読取るための装置であって、当該情報取得メディアから、画像処理装置１００等で撮像された画像データを取得することができる。当該情報取得装置６０６は、印刷処理装置に内蔵されていても良いし、また、有線又は無線により接続されてもよい。
【００４８】
印刷装置６０７は、画像処理装置１００から印刷実行指示がなされた場合に、装着されたカートリッジに内蔵されたインクおよび用紙を用いて、印刷処理が行われるものである。
【００４９】
外部接続装置６０８は、本プリンタ装置６００が、画像処理装置１００と無線もしくは有線により接続される場合に使用されるものであり、この外部接続装置６０９を介して画像処理装置１００とデータのやり取りが行われる。
【００５０】
図２乃至図６を参照して、本実施形態に対応する画像処理装置１００の起動・撮影動作を説明する。図２及び図３は本実施形態に対応する画像処理装置１００の起動・撮影ルーチンのフローチャートを示す。
【００５１】
まず、電池交換等の電源投入により、システム制御回路５０はフラグや制御変数等を初期化し（Ｓ１０１）、画像表示部２８の画像表示をＯＦＦ状態に初期設定する（Ｓ１０２）。
【００５２】
システム制御回路５０は、モードダイアル６０の設定位置を判断し、モードダイアル６０が電源ＯＦＦに設定されていたならば（Ｓ１０３）、各表示部の表示を終了状態に変更し、保護手段１０２のバリアを閉じて撮像部を保護し、フラグや制御変数等を含む必要なパラメータや設定値、設定モードを不揮発性メモリ５６に記録し、電源制御手段８０により画像表示部２８を含む画像処理装置１００各部の不要な電源を遮断する等の所定の終了処理を行った後（Ｓ１０５）、Ｓ１０３に戻る。
【００５３】
モードダイアル６０が撮影モードに設定されていたならば（Ｓ１０３で「撮影モード」）、Ｓ１０６に進む。モードダイアル６０がその他のモードに設定されていたならば（Ｓ１０３で「その他のモード」）、システム制御回路５０は選択されたモードに応じた処理を実行し（Ｓ１０４）、処理を終えたならばＳ１０３に戻る。
【００５４】
システム制御回路５０は、電源制御手段８０により電池等により構成される電源８６の残容量や動作情況が画像処理装置１００の動作に問題があるか否かを判断し（Ｓ１０６）、問題があるならば表示部５４を用いて画像や音声により所定の警告表示を行った後に（Ｓ１０８）、Ｓ１０３に戻る。
【００５５】
電源８６に問題が無いならば（Ｓ１０６で「ＹＥＳ」）、システム制御回路５０は記録媒体２００或いは２１０の動作状態が画像処理装置１００の動作、特に記録媒体に対する画像データの記録再生動作に問題があるか否かを判断し（Ｓ１０７）、問題があるならば（Ｓ１０７で「ＮＯ」）表示部５４を用いて画像や音声により所定の警告表示を行った後に（Ｓ１０８）、Ｓ１０３に戻る。
【００５６】
記録媒体２００或いは２１０の動作状態に問題が無いならば（Ｓ１０７）、Ｓ１０９に進む。
【００５７】
日付設定がされていないならば（Ｓ１０９）日付写し込み不可であるので、日付写し込みフラグを解除する（Ｓ１１２）。日付設定がされているならば（Ｓ１０９）、システム制御回路５０は日付写し込みＯＮ／ＯＦＦスイッチ６８の設定状態を調べ（Ｓ１１０）、日付写し込みＯＮに設定されていたならば日付写し込みフラグを設定し、（Ｓ１１１）、日付写し込みＯＦＦに設定されていたならば日付写し込みフラグを解除する（Ｓ１１２）。なお、日付写し込みフラグの状態は、システム制御回路５０の内部メモリ或いはメモリ５２に記憶する。
【００５８】
ここで、日付写し込みフラグとは、Ｓ１２９における撮影処理において撮影した画像に日付情報を合成するか否か、及び、Ｓ１３４における記録処理において、画像のヘッダ部分に画像に合成された日付情報に関する情報を付加するか否かを識別するために利用される識別情報である。
【００５９】
続いて、システム制御回路５０は、画像表示ＯＮ／ＯＦＦスイッチ６６の設定状態を調べ（Ｓ１１３）、画像表示ＯＮに設定されていたならば、画像表示フラグを設定すると共に（Ｓ１１４）、画像表示部２８の画像表示をＯＮ状態に設定し（Ｓ１１５）、さらに撮像した画像データを逐次表示するスルー表示状態に設定して（Ｓ１１６）、Ｓ１１９に進む。
【００６０】
スルー表示状態においては、撮像素子１２、Ａ／Ｄ変換器１６、画像処理回路２０、メモリ制御回路２２を介して、画像表示メモリ２４に逐次書き込まれたデータを、メモリ制御回路２２、Ｄ／Ａ変換器２６を介して画像表示部２８により逐次表示することにより、電子ファインダー機能を実現している。
【００６１】
画像表示ＯＮ／ＯＦＦスイッチ６６が画像表示ＯＦＦに設定されていたならば（Ｓ１１３）、画像表示フラグを解除すると共に（Ｓ１１７）、画像表示部２８の画像表示をＯＦＦ状態に設定して（Ｓ１１８）、Ｓ１１９に進む。
【００６２】
画像表示ＯＦＦの場合は、画像表示部２８による電子ファインダー機能を使用せず、光学ファインダー１０４を用いて撮影を行う。この場合、電力消費量の大きい画像表示部２８やＤ／Ａ変換器２６等の消費電力を削減することが可能となる。なお、画像表示フラグの状態は、システム制御回路５０の内部メモリ或いはメモリ５２に記憶する。
【００６３】
シャッタースイッチＳＷ１が押されていないならば（Ｓ１１９）、Ｓ１０３に戻る。シャッタースイッチＳＷ１が押されたならば（Ｓ１１９）、システム制御回路５０はシステム制御回路５０の内部メモリ或いはメモリ５２に記憶される画像表示フラグの状態を判断し（Ｓ１２０）、画像表示フラグが設定されていたならば画像表示部２８の表示状態をフリーズ表示状態に設定して（Ｓ１２１）、Ｓ１２２に進む。
【００６４】
フリーズ表示状態に於いては、撮像素子１２、Ａ／Ｄ変換器１６、画像処理回路２０、メモリ制御回路２２を介した画像表示メモリ２４の画像データ書き換えを禁止し、最後に書き込まれた画像データを、メモリ制御回路２２、Ｄ／Ａ変換器２６を介して画像表示部２８により表示することにより、フリーズした映像を電子ファインダーに表示している。
【００６５】
画像表示フラグが解除されていたならば（Ｓ１２０）、Ｓ１２２に進む。システム制御回路５０は、測距処理を行って撮影レンズ１０の焦点を被写体に合わせ、測光処理を行って絞り値及びシャッター時間を決定する（Ｓ１２２）。測光処理に於いて、必要であればフラッシュの設定も行う。この測距・測光処理Ｓ１２２の詳細は図４を用いて後述する。
【００６６】
測距・測光処理Ｓ１２２を終えたならば、システム制御回路５０はシステム制御回路５０の内部メモリ或いはメモリ５２に記憶される画像表示フラグの状態を判断し（Ｓ１２３）、画像表示フラグが設定されていたならば画像表示部２８の表示状態をスルー表示状態に設定して（Ｓ１２４）、Ｓ１２５に進む。なお、Ｓ１２４でのスルー表示状態は、Ｓ１１６でのスルー状態と同じ動作状態である。
【００６７】
シャッタースイッチＳＷ２が押されずに（Ｓ１２５）、さらにシャッタースイッチＳＷ１も解除されたならば（Ｓ１２６）、Ｓ１０３に戻る。シャッタースイッチＳＷ２が押されたならば（Ｓ１２５）、システム制御回路５０はシステム制御回路５０の内部メモリ或いはメモリ５２に記憶される画像表示フラグの状態を判断し（Ｓ１２７）、画像表示フラグが設定されていたならば画像表示部２８の表示状態を固定色表示状態に設定して（Ｓ１２８）、Ｓ１４２に進む。
【００６８】
固定色表示状態に於いては、撮像素子１２、Ａ／Ｄ変換器１６、画像処理回路２０、メモリ制御回路２２を介して画像表示メモリ２４に書き込まれた撮影画像データの代わりに、差し替えた固定色の画像データを、メモリ制御回路２２、Ｄ／Ａ変換器２６を介して画像表示部２８により表示することにより、固定色の映像を電子ファインダーに表示している。
【００６９】
画像表示フラグが解除されていたならば（Ｓ１２７）、Ｓ１４２に進む。システム制御回路５０は時計９８から現在の日時を取得し、システム制御回路５０の内部メモリ或いはメモリ５２に記憶する（Ｓ１４２）。ここでシステム制御回路５０の内部メモリ或いはメモリ５２に記憶した日時が画像の撮影日時として画像と共に記録される。
【００７０】
システム制御回路５０は、撮像素子１２、Ａ／Ｄ変換器１６、、画像処理回路２０、メモリ制御回路２２を介して、或いはＡ／Ｄ変換器から直接メモリ制御回路２２を介して、メモリ３０に撮影した画像データを書き込む露光処理、及び、メモリ制御回路２２そして必要に応じて画像処理回路２０を用いて、メモリ３０に書き込まれた画像データを読み出して各種処理を行う現像処理からなる撮影処理を実行する（Ｓ１２９）。またここで必要に応じて日付の写し込みも行う。この撮影処理Ｓ１２９の詳細は図５を用いて後述する。
【００７１】
システム制御回路５０は、システム制御回路５０の内部メモリ或いはメモリ５２に記憶される画像表示フラグの状態を判断し（Ｓ１３０）、画像表示フラグが設定されていたならばクイックレビュー表示を行う（Ｓ１３３）。
【００７２】
画像表示フラグが解除されていたならば（Ｓ１３０）、システム制御回路５０の内部メモリ或いはメモリ５２に記憶されるクイックレビューフラグの状態を判断し（Ｓ１３１）、クイックレビューフラグが設定されていたならば、画像表示部２８の画像表示をＯＮ状態に設定し（Ｓ１３２）、クイックレビュー表示を行う（Ｓ１３３）。
画像表示フラグが解除され（Ｓ１３０）、クイックレビューフラグも解除されていたならば（Ｓ１３１）、画像表示部２８がＯＦＦの状態のままＳ１３４に進む。
【００７３】
システム制御回路５０は、メモリ３０に書き込まれた撮影画像データを読み出して、メモリ制御回路２２そして必要に応じて画像処理回路２０を用いて各種画像処理を、また、圧縮・伸長回路３２を用いて設定したモードに応じた画像圧縮処理を行った後、記録媒体２００或いは２１０へ画像データの書き込みを行う記録処理を実行する（Ｓ１３４）。この記録処理Ｓ１３４の詳細は図６を用いて後述する。
【００７４】
記録処理Ｓ１３４が終了した際に、シャッタースイッチＳＷ２が押された状態であったならば（Ｓ１３５）、システム制御回路５０はシステム制御回路５０の内部メモリ或いはメモリ５２に記憶される連写フラグの状態を判断し（Ｓ１３６）、連写フラグが設定されていたならば、連続して撮影を行うためにＳ１２９に戻り、次の撮影を行う。
【００７５】
連写フラグが設定されていないならば（Ｓ１３６）、シャッタースイッチＳＷ２が放されるまで（Ｓ１３５）、現在の処理を繰り返す。
【００７６】
記録処理Ｓ１３４が終了した際にシャッタースイッチＳＷ２が放された状態であった、或いは、シャッタースイッチＳＷ２を押し続けてクイックレビュー表示を継続して撮影画像の確認を行った後にシャッタースイッチＳＷ２を放した状態であったならば（Ｓ１３５）、所定のミニマムレビュー時間が経過した後にＳ１３８に進む（Ｓ１３７）。
【００７７】
なお、このミニマムレビュー時間は、固定値としても、使用者が任意に設定することが可能としても、さらには所定の範囲内で使用者が任意に設定或いは選択することが可能としても、いずれの方法で設定しても構わない。
【００７８】
システム制御回路５０は、画像表示フラグが設定されていたならば（Ｓ１３８）、画像表示部２８の表示状態をスルー表示状態に設定して（Ｓ１３９）、Ｓ１４１に進む。
【００７９】
画像表示フラグが解除されていたならば（Ｓ１３８）、画像表示部２８の画像表示をＯＦＦ状態に設定して（Ｓ１４０）、Ｓ１４１に進む。
【００８０】
シャッタースイッチＳＷ１が押された状態であったならば（Ｓ１４１）、システム制御回路５０は、Ｓ１２５に戻って次の撮影に備える。シャッタースイッチＳＷ１が放された状態であったならば（Ｓ１４１）、システム制御回路５０は、一連の撮影動作を終えてＳ１０３に戻る。
【００８１】
図４は、図３のＳ１２２における測距・測光処理の詳細なフローチャートを示す。システム制御回路５０は、撮像素子１４から電荷信号を読み出し、Ａ／Ｄ変換器１６を介して画像処理回路２０に撮影画像データを逐次読み込む（Ｓ２０１）。この逐次読み込まれた画像データを用いて、画像処理回路２０はＴＴＬ（スルー・ザ・レンズ）方式のＡＥ（自動露出）処理、ＥＦ（フラッシュプリ発光）処理、ＡＦ（オートフォーカス）処理に用いる所定の演算を行っている。
【００８２】
なお、ここでの各処理は、撮影した全画素数のうちの必要に応じた特定の部分を必要個所分切り取って抽出し、演算に用いている。これにより、 ＴＴＬ方式のＡＥ、ＥＦ、ＡＷＢ、ＡＦの各処理において、中央重点モード、平均モード、評価モードの各モード等の異なるモード毎に最適な演算を行うことが可能となる。
【００８３】
画像処理回路２０での演算結果を用いて、システム制御回路５０は露出（ＡＥ）が適正と判断されるまで（Ｓ２０２）、露光制御手段４０を用いてＡＥ制御を行う（Ｓ２０３）。
【００８４】
ＡＥ制御で得られた測定データを用いて、システム制御回路５０はフラッシュが必要か否かを判断し（Ｓ２０４）、フラッシュが必要ならばフラッシュフラグをセットし、フラッシュ４８を充電する（Ｓ２０５）。
【００８５】
露出（ＡＥ）が適正と判断したならば（Ｓ２０２）、測定データ及び或いは設定パラメータをシステム制御回路５０の内部メモリ或いはメモリ５２に記憶する。画像処理回路２０での演算結果及びＡＥ制御で得られた測定データを用いて、システム制御回路５０はホワイトバランス（ＡＷＢ）が適正と判断されるまで（Ｓ２０６）、画像処理回路２０を用いて色処理のパラメータを調節してＡＷＢ制御を行う（Ｓ２０７）。
【００８６】
ホワイトバランス（ＡＷＢ）が適正と判断したならば（Ｓ２０６）、測定データ及び或いは設定パラメータをシステム制御回路５０の内部メモリ或いはメモリ５２に記憶する。ＡＥ制御及びＡＷＢ制御で得られた測定データを用いて、システム制御回路５０は測距（ＡＦ）が合焦と判断されるまで（Ｓ２０８）、測距制御手段４２を用いてＡＦ制御を行う（Ｓ２０９）。
【００８７】
測距（ＡＦ）が合焦と判断したならば（Ｓ２０８）、測定データ及び或いは設定パラメータをシステム制御回路５０の内部メモリ或いはメモリ５２に記憶し、測距・測光処理ルーチンＳ１２２を終了する。
【００８８】
図５は、図３のＳ１２９における撮影処理の詳細なフローチャートを示す。システム制御回路５０は、システム制御回路５０の内部メモリ或いはメモリ５２に記憶される測光データに従い、露光制御手段４０によって、絞り機能を有するシャッター１２を絞り値に応じて開放して撮像素子１０を露光する（Ｓ３０１、Ｓ３０２）。
【００８９】
フラッシュ・フラグによりフラッシュ４８が必要か否かを判断し（Ｓ３０３）、必要な場合はフラッシュを発光させる（Ｓ３０４）。システム制御回路５０は、測光データに従って撮像素子１２の露光終了を待ち（Ｓ３０５）、シャッター１２を閉じて（Ｓ３０６）、撮像素子１４から電荷信号を読み出し、Ａ／Ｄ変換器１６、画像処理回路２０、メモリ制御回路２２を介して、或いはＡ／Ｄ変換器１６から直接メモリ制御回路２２を介して、メモリ３０に撮影画像のデータを書き込む（Ｓ３０７）。
【００９０】
設定された撮影モードに応じて、フレーム処理を行う必要があるならば（Ｓ３０８）、システム制御回路５０は、メモリ制御回路２２そして必要に応じて画像処理回路２０を用いて、メモリ３０に書き込まれた画像データを読み出して垂直加算処理や（Ｓ３０９）、色処理（Ｓ３１０）を順次行う。
【００９１】
システム制御回路５０は、システム制御回路５０の内部メモリ或いはメモリ５２に記憶される日付写し込みフラグの状態を判断し（Ｓ３１１）、日付写し込みフラグが解除されていたならば、メモリ３０に画像データを書き込む。
【００９２】
日付写し込みフラグが設定されていたならば（Ｓ３１１）、Ｓ１４２でシステム制御回路５０の内部メモリ或いはメモリ５２に記憶された撮影日時を、メモリ制御回路２２、画像処理回路２０を用いて画像データに合成し日付の写し込み処理を行い（Ｓ３１２）、処理後メモリ３０に日付の写し込まれた画像データを書き込む。
【００９３】
システム制御回路５０は、メモリ３０から画像データを読み出し、メモリ制御回路２２を介して画像表示メモリ２４に表示画像データの転送を行う（Ｓ３１３）。一連の処理を終えたならば、撮影処理ルーチンＳ１２９を終了する。
【００９４】
図６は、図３のＳ１３４における記録処理の詳細なフローチャートを示す。システム制御回路５０は、メモリ制御回路２２そして必要に応じて画像処理回路２０を用いて、メモリ３０に書き込まれた撮影画像データを読み出して撮像素子の縦横画素比率を１：１に補間する画素正方化処理を行った後（Ｓ４０１）、メモリ３０に処理を終えた画像データを書き込む。
【００９５】
そして、メモリ３０に書き込まれた画像データを読み出して、設定したモードに応じた画像圧縮処理を圧縮・伸長回路３２により行う（Ｓ４０２）。システム制御回路５０は、Ｓ１４２でシステム制御回路５０の内部メモリ或いはメモリ５２に記憶された撮影日時を画像ヘッダに付加する（Ｓ４０６）。システム制御回路５０は、システム制御回路５０の内部メモリ或いはメモリ５２に記憶される日付写し込みフラグの状態を判断し（Ｓ４０３）、日付写し込みフラグが解除されていたならば、Ｓ４０５に進む。
【００９６】
日付写し込みフラグが設定されていたならば（Ｓ４０３で「ＯＮ」）、画像のヘッダ部分に、画像に合成された日付情報に関する情報（日付写し込み情報）を付加する（Ｓ４０４）。この画像ヘッダに付加される日付写し込み情報の詳細は図７を用いて後述する。最後にインタフェース９０或いは９４、コネクタ９２或いは９６を介して、メモリカードやコンパクトフラッシュ（登録商標）カード等の記録媒体２００或いは２１０へ圧縮した画像データの書き込みを行う（Ｓ４０５）。記録媒体への書き込みが終わったならば、記録処理ルーチンＳ１３４を終了する。
【００９７】
図７ａは、図６のＳ４０４において日付写し込みがなされた画像のヘッダに付加される日付写し込み情報の詳細を示す。日付写し込み情報は、画像に日付情報が合成されているか否かを識別するための情報であって、画像に日付写し込みがなされているかという情報と日付写し込みがなされている場合の画像上の日付の位置を示す情報（位置情報）からなる。画像に日付写し込みがなされているかという情報としては、日付写し込みフラグ３０１がある。日付写し込みフラグ３０１は真または偽の２値を取りうる。真であるならば画像に日付写し込みがなされていることを示す。偽であるならば画像に日付写し込みはなされていないことを示し、座標情報３０２乃至３０５の内容は意味を持たない。
【００９８】
日付写し込みがなされている場合の画像上の日付の位置を示す情報としては、以下の４つがある。日付左上ｘ座標３０２は日付写し込み領域３０６の左上コーナーの画像上でのｘ座標を示し、日付左上ｙ座標３０３は日付写し込み領域３０６の左上コーナーの画像上でのｙ座標を示す。日付右下ｘ座標３０４は日付写し込み領域３０６の右下コーナーの画像上でのｘ座標を示し、日付右下ｙ座標３０５は日付写し込み領域３０６の右下コーナーの画像上でのｙ座標を示す。
【００９９】
各座標位置を画像データにおいて示した一例は図７ｂに示すようになる。ここで、ｘｙ座標系は、３０７を原点として３０８方向をｘ軸、３０９方向をｙ軸として設定される。
【０１００】
図８乃至図１２を参照して、本実施形態に対応する画像処理装置１００のプリント処理時の動作を説明する。画像処理装置１００はコネクタ１１２を介してプリンタ装置６００と直接接続し、通信手段１１０によりプリンタ装置６００と通信することにより記録媒体２００および２１０に記録されている画像をプリンタ装置６００からプリント可能である。
【０１０１】
図８は本実施形態の画像処理装置１００とプリンタ装置６００を接続し画像をプリントする際の、画像処理装置１００側における処理の一例に対応するフローチャートを示す。画像処理装置１００はプリンタ装置６００と専用のケーブルを用いて接続することにより、プリンタ装置６００との通信を開始しプリントモードに移行する。プリントモードでは記録媒体２００および２１０に記録されている画像を画像表示部２８に表示し、表示中の画像をプリントすることができる。
【０１０２】
まず、ユーザーの操作部７０の所定のボタンの操作に基づき、記録媒体２００および２１０に記録されている画像を順次表示させながらプリントする画像の選択を受け付ける（Ｓ５０１）。
【０１０３】
プリントする画像を表示させた状態で、プリント設定開始操作を受け付けたかどうかを判定し（Ｓ５０２）、プリント設定開始動作を受け付けた場合（Ｓ５０２にて「する」）にはプリント初期設定を行い（Ｓ５０３）、図１１のプリント設定画面を画像表示部２８に表示する（Ｓ５０４）。
【０１０４】
ここで、プリント初期設定（Ｓ５０３）の詳細を図９を用いて説明する。プリント初期設定（Ｓ５０３）では、まずプリント時のデフォルト設定として、画面設定・ペーパー設定・フチ設定等の印刷条件を設定したプリント設定を、前回プリント終了時に不揮発性メモリ５６に記憶した前回プリント時の設定値を読み出して設定する（Ｓ６０１）。
【０１０５】
次に、表示されている画像のヘッダ内の日付写し込み情報を参照し、画像に日付情報が合成されているかどうかを判定する（Ｓ６０２）。ここで、日付写し込み情報内の日付写し込みフラグ３０１が「偽」の場合は、画像に日付写し込みがなされていないこととなるので、プリンタ装置６００側の設定に従って日付情報を処理しても、日付情報が二重に写し込まれることはない。そこで、予め定められた設定値として不揮発性メモリ５６に記憶してある前回プリント時の設定値をそのまま設定し（Ｓ６０３）、プリント初期設定（Ｓ５０３）を終了する。
【０１０６】
一方、日付写し込みフラグ３０１が真の場合には、画像に日付写し込みがなされていることとなるので、プリンタ装置６００側で日付情報を合成する処理が行われれば、日付情報が二重に写し込まれることになる。そこで、不揮発性メモリ５６に記憶してある前回プリント時の設定が「入」・「切」のどちらであったかにかかわらず、今回プリントの日付設定を「切」に設定し（Ｓ６０４）、プリント初期設定（Ｓ５０３）を終了する。
【０１０７】
このように本発明によると、プリント実行時に画像ヘッダに記録された日付写し込み情報を参照して画像に日付写し込みがなされていると判定された場合に、プリンタ装置６００側において印刷条件としての日付プリント設定を「切」にすることで、プリンタ装置６００における日付情報の合成処理を抑制して、画像に写し込まれた日付とプリンタ装置６００で付加する日付を二重にプリントしてしまうことを防止することができる。
【０１０８】
プリント初期設定（Ｓ５０３）が終わると、図１１に示すようなプリント設定画面を画像表示部２８に表示する（Ｓ５０４）。この表示状態において、プリント設定変更を行うかどうかを判定する（Ｓ５０５）。具体的には、操作部７０により図１１のプリント設定画面上のスタイルボタン４０１及び枚数設定ボックス４０２の選択を受け付けたかどうかを判定する。この判定の結果、例えばスタイルボタン４０１の選択を受け付けたと判定された場合（Ｓ５０５にて「する」）には、図１１に示す画面とは別画面の画面設定・ペーパー設定・フチ設定等の設定変更画面を表示し、操作部７０の操作により設定変更を受け付ける（Ｓ５０６）。また、操作部７０により枚数設定ボックス４０２が選択された場合（Ｓ５０５にて「する」）には、プリント枚数の変更を受け付ける（Ｓ５０６）。Ｓ５０６におけるプリント設定が終わったらＳ５０７に進む。一方、操作部７０によるボタン４０１及び４０２に対する選択動作を受け付けない場合には、Ｓ５０７へ移行する。
【０１０９】
Ｓ５０７では、画像のトリミングを行うかどうかを判定する。トリミングとは、印刷（プリント）領域を設定するための処理である。通常は画像全体が印刷されるところ、画像の一部の領域のみを印刷したい場合に、トリミングにより当該領域を印刷領域として設定することができる。具体的には、操作部７０により、図１１のプリント設定画面上のトリミングボタン４０３が選択されたか否かを判定する。もし、トリミングボタン４０３が選択された場合（Ｓ５０７で「する」）には、トリミング設定画面を表示して、図１２のように選択した画像に重ねてトリミング枠５０１を表示する。このトリミング枠５０１の移動や大きさの変更は操作部７０を介して受け付けることができ、プリント領域設定をする（Ｓ５０８）。ここで設定されるプリント領域は、画像データに対してトリミング枠５０１の左上ｘ座標５０２、左上ｙ座標５０３、右下ｘ座標５０４、右下ｙ座標５０５として決定される。
【０１１０】
一方、トリミングボタン４０３が選択されない場合には、Ｓ５１１へ移行して設定を終了するか否かを判定する。
【０１１１】
Ｓ５０８においてプリント領域の設定が完了した後、画像表示部２８に表示されている画像のヘッダ内の日付写し込み情報を参照し、画像情報に日付情報が合成されているかどうかを判定する（Ｓ５０９）。もし、日付写し込み情報内の日付写し込みフラグ３０１が偽であれば、画像に日付写し込みがなされていないことになるのでＳ５１１に進む。
【０１１２】
一方、日付写し込みフラグ３０１が真であれば、画像に日付写し込みがなされていることとなる。この場合、トリミングにより日付写し込み部分が削除されてしまう可能性があるため、プリンタ装置６００側で日付プリントを行う必要があるか否かの判定を行い、日付設定をし直す（Ｓ５１０）。
【０１１３】
日付プリント判定（Ｓ５１０）の詳細を図１０を用いて説明する。日付プリント判定では、画像ヘッダに付加された日付写し込み情報の画像上の日付位置を示す情報とトリミング枠の位置情報から、プリント領域内に日付写し込みがなされているかどうかの判定を行う。
【０１１４】
具体的には、まずトリミング枠５０１の左上ｘ座標５０２と日付写し込み領域３０６の左上ｘ座標３０２を比較する（Ｓ７０１）。トリミング枠５０１の左上ｘ座標５０２が日付左上ｘ座標３０２より大きいならば（Ｓ７０１で「ＮＯ」）、プリント領域内に日付写し込みがなされていないとみなし、Ｓ７０６に進む。
【０１１５】
トリミング枠５０１の左上ｘ座標５０２が日付左上ｘ座標３０２より小さいならば（Ｓ７０１で「ＹＥＳ」）、続いてトリミング枠５０１の左上ｙ座標５０３と日付左上ｙ座標３０３との比較を行い（Ｓ７０２）、トリミング枠５０１の左上ｙ座標５０３が日付左上ｙ座標３０３より大きいならば（Ｓ７０２で「ＮＯ」）、プリント領域内に日付写し込みがなされていないとみなし、Ｓ７０６に進む。
【０１１６】
トリミング枠５０１の左上ｙ座標５０３が日付左上ｙ座標３０３より小さいならば（Ｓ７０２で「ＹＥＳ」）、続いてトリミング枠５０１の右下ｘ座標５０４と日付右下ｘ座標３０４の比較を行い（Ｓ７０３）、トリミング枠５０１の右下ｘ座標５０４が日付右下ｘ座標３０４より小さいならば（Ｓ７０３でＮＯ）、プリント領域内に日付写し込みがなされていないとみなし、Ｓ７０６に進む。
【０１１７】
トリミング枠５０１の右下ｘ座標５０４が日付右下ｘ座標３０４より大きいならば（Ｓ７０３で「ＹＥＳ」）、続いてトリミング枠５０１の右下ｙ座標５０５と日付右下ｙ座標３０５の比較を行い（Ｓ７０４）、トリミング枠５０１の右下ｙ座標５０５が日付右下ｙ座標３０５より小さいならば（Ｓ７０４で「ＮＯ」）、プリント領域内に日付写し込みがなされていないとみなし、Ｓ７０６に進む。
【０１１８】
トリミング枠５０１の右下ｙ座標５０５が日付右下ｙ座標３０５より大きいならば（Ｓ７０４で「ＹＥＳ」）、プリント領域内に日付写し込みがなされているとみなし、Ｓ６０４において「切」に設定された日付設定を「切」のままにし（Ｓ７０５）、日付プリント判定（Ｓ５１０）を終了する。
【０１１９】
一方、トリミングされた後のプリント領域内に日付写し込みがなされていないと判定された場合、Ｓ６０４において「切」に設定された日付設定から、不揮発性メモリ５６に記憶してある、即ち予め定められた前回プリント時の設定値（デフォルト設定値）に設定し直し（Ｓ７０６）、日付プリント判定（Ｓ５１０）を終了する。
【０１２０】
このように本発明によると、トリミングプリント実行時に画像ヘッダに記録された日付写し込み情報を参照してプリント領域に日付写し込みがなされている場合、日付プリント設定を「切」にすることで、トリミング画像においても、プリンタ装置６００における日付情報の合成を抑制して、画像に写し込まれた日付とプリンタ装置６００で付加する日付を二重にプリントしてしまうことを防止しつつ、トリミングにより画像に写し込まれた日付情報が削除されてしまう場合には日付設定をデフォルト設定値に戻し、必要に応じて日付情報をプリンタ装置６００側で合成してプリントすることが可能となる。よって、トリミングが行われる場合であっても、日付の二重プリントを防止しつつ、確実に日付情報を付加することが可能となる。
【０１２１】
全てのプリント設定が完了したならば、設定を終了するかどうかを判定する（Ｓ５１１）。プリント設定をやり直すならば（Ｓ５１１にて「ＮＯ」）、Ｓ５０５に戻り、設定変更を受け付ける。
【０１２２】
次に、Ｓ５１２においてプリントを行うかどうかを判定する。操作部７０により、図１１のプリント設定画面上のプリントボタン４０５が選択されたかどうかを判定し、プリントボタン４０５が選択された場合（Ｓ５１２で「実行」）には、画像処理装置１００と専用のケーブルを用いて接続されているプリンタ装置６００に送信するプリントデータを生成する（Ｓ５１３）。
【０１２３】
一方、操作部７０により、図１１のプリント設定画面上のキャンセルボタン４０４が選択された場合（Ｓ５１２で「キャンセル」）は、Ｓ５０１に戻って画像選択を受け付ける。
【０１２４】
Ｓ５１３におけるプリントデータの生成が終了すると、生成されたプリントデータをプリンタ装置６００に送信する（Ｓ５１４）。このプリントデータは、プリント対象の画像データの他に、画像処理装置１００において受け付けた印刷条件としてのプリント設定内容を含むジョブとしてプリンタ装置６００へ送信される。画像処理装置１００から送信されたジョブを受信したプリンタ装置６００側ではプリントが実行され、画像処理装置１００は、Ｓ５０１に戻って画像選択を受け付ける。
【０１２５】
上記実施形態では、画像処理装置１００とプリンタ装置６００をコネクタ１１２を介して直接接続し、通信手段１１０により通信することにより記録媒体２００および２１０に記録されている画像をプリンタ装置６００からプリントを行うというものであった。本発明の構成は、画像処理装置１００とプリンタ装置６００とを別体として設けることに限定されず、画像処理装置１００にプリンタ装置６００を一体的に構成し、システム制御回路５０でプリント装置も制御するように構成してもよい。
【０１２６】
その場合には、図８に示すフローチャートにおいて、Ｓ５１４におけるプリントデータ送信処理が、プリント処理に置き換えられ、それ以前のステップにおいて設定されたプリント設定内容及び日付設定に応じたプリント処理が実行されることとなる。よって、日付設定が「切」となっている場合にはプリンタ装置６００側における日付情報の写し込みは行わず、「デフォルト」となっている場合には予め定められた（例えば前回の）設定内容に従って日付情報の写し込みを行うか否かを制御する。
【０１２７】
さらに、画像処理装置１００に撮像手段をもたせずにプリント手段をもたせるように構成することで、画像に写し込まれた日付とプリント手段により付加する日付を二重にプリントしてしまうことを防ぐことが可能なプリンタ装置６００を実現することも可能である。
【０１２８】
この場合には、プリンタ装置６００側では、情報取得装置６０６により取得した画像について図８に示すような処理を行うことができる。即ち、ヘッダに日付写し込み情報が付加された画像について、日付写し込み情報の内容に基づいて画像に日付情報が合成されているか否かを判定し、既に画像に日付情報が合成されていると判定した場合にはプリンタ装置６００側における日付情報の合成を抑制し、画像に日付情報が合成されていないと判定した場合には、プリンタ装置６００のデフォルト設定に従って、日付情報の写し込み処理を行うかどうかを決定する。
【図面の簡単な説明】
【０１２９】
【図１ａ】本発明の実施形態に対応する画像処理装置の構成の一例を示すブロック図である。
【図１ｂ】本発明の実施形態に対応するプリンタ装置の構成の一例を示すブロック図である。
【図２】本発明の実施形態に対応する画像処理装置１００における起動・撮影動作の一例のフローチャートである。
【図３】本発明の実施形態に対応する画像処理装置１００における起動・撮影動作の一例のフローチャートである。
【図４】本発明の実施形態に対応する画像処理装置１００における測距・測光ルーチンの一例のフローチャートである。
【図５】本発明の実施形態に対応する画像処理装置１００における撮影ルーチンの一例のフローチャートである。
【図６】本発明の実施形態に対応する画像処理装置１００における記録ルーチンの一例のフローチャートである。
【図７ａ】本発明の実施形態に対応する日付写し込み情報の一例を示す図である。
【図７ｂ】本発明の実施形態に対応する画像データに写し込まれた日付情報の座標位置の一例を示す図である。
【図８】本発明の実施形態に対応する画像処理装置１００におけるプリント時の動作の一例のフローチャートである。
【図９】本発明の実施形態に対応する画像処理装置１００におけるプリント初期設定ルーチンの一例のフローチャートである。
【図１０】本発明の実施形態に対応する画像処理装置１００における日付プリント判定ルーチンの一例のフローチャートである。
【図１１】本発明の実施形態に対応する画像処理装置１００におけるプリント設定画面の一例である。
【図１２】本発明の実施形態に対応する画像のトリミングを説明するための図である。
【図１ａ】
2005223758.tif 000003
【図１ｂ】
2005223758.tif 000004
【図２】
2005223758.tif 000005
【図３】
2005223758.tif 000006
【図４】
2005223758.tif 000007
【図５】
2005223758.tif 000008
【図６】
2005223758.tif 000009
【図７ａ】
2005223758.tif 000010
【図７ｂ】
2005223758.tif 000011
【図８】
2005223758.tif 000012
【図９】
2005223758.tif 000013
【図１０】
2005223758.tif 000014
【図１１】
2005223758.tif 000015
【図１２】
2005223758.tif 000016